【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
スタイレットを格納するための装置であって、
スタイレットと、
針の近位端に選択的に連結可能な端部キャップであって、該端部キャップは、該端部キャップが該針に連結される時に、該スタイレットが該針の管腔を通って該端部キャップから延在するように、該スタイレットの近位端に連結され、該端部キャップは、該端部キャップが該針から分断される時に、該スタイレットの遠位部を把持するためのクリップ機構を含み、該クリップ機構は、該スタイレットの該遠位部がその該近位端と実質的に平行に通過してもよい、空間を含む、端部キャップと
を備える、装置。
【請求項２】
前記端部キャップは、前記スタイレットと一体化して形成される、請求項１に記載の装置。
【請求項３】
前記クリップ機構は、前記端部キャップの壁の切り取り部である、請求項１に記載の装置。
【請求項４】
前記スタイレットは、針の管腔に挿入するために寸法決定および成形され、該針は、吸引のために適合される、請求項１に記載の装置。
【請求項５】
前記クリップ機構は、前記スタイレットを摩擦係合するように寸法決定および成形される、前記キャップ内に形成されるスロットを備える、請求項１に記載の装置。
【請求項６】
前記スロットの縁部は、その中に前記スタイレットが挿入される際に、変形を可能にするように可撓性である、請求項５に記載の装置。
【請求項７】
前記スロットは、前記端部キャップの近位面から遠位面までのその厚さを通って延在する、２つの壁の間に形成される、請求項５に記載の装置。
【請求項８】
前記クリップ機構は、スタイレットをアームと前記端部キャップの外面との間に係止するように、前記端部キャップの前記外面の一部分の周囲で移動可能なアームを含む、請求項１に記載の装置。
【請求項９】
前記アームは、前記端部キャップの前記外面と実質的に平行に延在し、環状空間によってそれから分離される、第１の部分と、その側面開口を閉鎖するように前記外面に向かって延在する、第２の部分とを備える、請求項８に記載の装置。
【請求項１０】
前記環状空間の厚さは、前記スタイレットの厚さと実質的に等しく、前記アームの前記第２の部分の半径方向内面は、その厚さが該スタイレットの厚さより小さい空間によって、外周から分離され、該アームの該第２の部分の該半径方向内面は、前記端部キャップの前記外面に隣接する、請求項９に記載の装置。
【請求項１１】
前記アームは、フックを備え、ラッチは、前記端部キャップの前記外面の一部分上に形成され、係止構成である時に、該フックがその上に位置する、請求項８に記載の装置。
【請求項１２】
前記クリップ機構は、リビングヒンジを含む、請求項１に記載の装置。
【請求項１３】
スタイレットを格納するための装置であって、
スタイレットと、
該スタイレットの遠位部を把持するための、該装置に付着可能なクリップ機構であって、該クリップ機構は、該スタイレットの該遠位部が通過してもよい、空間を含む、クリップ機構と
を備える、装置。
【請求項１４】
前記クリップ機構は、医療装置の近位端に連結可能な端部キャップ上に形成され、該クリップ機構は、前記端部キャップが該医療装置に連結される時に、前記スタイレットが該医療装置を通して形成された管腔を通って該端部キャップから延在するように構成される、請求項１３に記載の装置。
【請求項１５】
前記クリップ機構は、前記スタイレットに摩擦係合するように寸法決定および成形される、前記キャップ内に形成されるスロットを備える、請求項１３に記載の装置。
【手続補正２】
【補正対象書類名】明細書
【補正対象項目名】０００３
【補正方法】変更
【補正の内容】
【０００３】
本発明は、針の管腔に挿入するために寸法決定および成形されるスタイレットと、針の近位端に選択的に連結可能な端部キャップとを備える、スタイレットを格納するための装置であって、端部キャップは、端部キャップが針に連結される時に、スタイレットが針の管腔を通って端部キャップから延在するように、スタイレットの近位端に連結され、端部キャップは、端部キャップが針から分断される時に、スタイレットの遠位部を把持するためのクリップ機構を含み、クリップ機構は、スタイレットの遠位端がその近位端と実質的に平行に通過してもよい、空間を含む、装置を対象とする。
本発明は、例えば、以下の項目も提供する。
（項目１）
スタイレットを格納するための装置であって、
スタイレットと、
針の近位端に選択的に連結可能な端部キャップであって、該端部キャップは、該端部キャップが該針に連結される時に、該スタイレットが該針の管腔を通って該端部キャップから延在するように、該スタイレットの近位端に連結され、該端部キャップは、該端部キャップが該針から分断される時に、該スタイレットの遠位部を把持するためのクリップ機構を含み、該クリップ機構は、該スタイレットの該遠位部がその該近位端と実質的に平行に通過してもよい、空間を含む、端部キャップと
を備える、装置。
（項目２）
前記端部キャップは、前記スタイレットと一体化して形成される、項目１に記載の装置。
（項目３）
前記クリップ機構は、前記端部キャップの壁の切り取り部である、項目２に記載の装置。
（項目４）
前記スタイレットは、針の管腔に挿入するために寸法決定および成形される、項目１に記載の装置。
（項目５）
前記針は、吸引のために適合される、項目５に記載の装置。
（項目６）
前記クリップ機構は、前記スタイレットを摩擦係合するように寸法決定および成形される、前記キャップ内に形成されるスロットを備える、項目１に記載の装置。
（項目７）
前記スロットの縁部は、その中に前記スタイレットが挿入される際に、変形を可能にするように可撓性である、項目３に記載の装置。
（項目８）
前記スロットは、前記端部キャップの近位面から遠位面までのその厚さを通って延在する、２つの壁の間に形成される、項目４に記載の装置。
（項目９）
前記クリップ機構は、スタイレットをアームと前記端部キャップの外面との間に係止するように、前記端部キャップの前記外面の一部分の周囲で移動可能なアームを含む、項目４に記載の装置。
（項目１０）
前記アームは、前記端部キャップの前記外面と実質的に平行に延在し、環状空間によってそれから分離される、第１の部分と、その側面開口を閉鎖するように前記外面に向かって延在する、第２の部分とを備える、項目６に記載の装置。
（項目１１）
前記環状空間の厚さは、前記スタイレットの厚さと実質的に等しく、前記アームの前記第２の部分の半径方向内面は、その厚さが該スタイレットの厚さより小さい空間によって、外周から分離される、項目７に記載の装置。
（項目１２）
前記アームの前記第２の部分の前記半径方向内面は、前記端部キャップの前記外面に隣接する、項目８に記載の装置。
（項目１３）
前記アームは、フックを備え、ラッチは、前記端部キャップの前記外面の一部分上に形成され、係止構成である時に、該フックがその上に位置する、項目６に記載の装置。
（項目１４）
前記クリップ機構は、リビングヒンジを含む、項目１３に記載の装置。
（項目１５）
スタイレットを格納するための装置であって、
スタイレットと、
該スタイレットの遠位部を把持するための、該装置に付着可能なクリップ機構であって、該クリップ機構は、該スタイレットの該遠位部が通過してもよい、空間を含む、クリップ機構と
を備える、装置。
（項目１６）
前記クリップ機構は、医療装置の近位端に連結可能な端部キャップ上に形成され、該クリップ機構は、前記端部キャップが該医療装置に連結される時に、前記スタイレットが該医療装置を通して形成された管腔を通って該端部キャップから延在するように構成される、項目１５に記載の装置。
（項目１７）
前記クリップ機構は、前記スタイレットに摩擦係合するように寸法決定および成形される、前記キャップ内に形成されるスロットを備える、項目１５に記載の装置。
（項目１８）
微細針吸引を実施するための方法であって、
該スタイレットの遠位端が管腔の遠位開口を塞ぐまで、スタイレットを針の該管腔に挿入するステップであって、該スタイレットの近位端は、端部キャップに連結される、ステップと、
該端部キャップを該針の該近位端に連結するステップと、
該針の遠位端が試料抽出される標的組織の第１の部分に隣接する、第１の標的位置まで、介在組織を通して該針を挿入するステップと、
該針が該第１の標的位置まで前進させられた後に、該端部キャップを該針の該近位端から除去するステップと、
該スタイレットを該針から引き出すステップと、
該スタイレットの遠位部を該端部キャップのクリップ機構に連結するステップと、
標的組織の試料を取得するように、該針を標的組織の該第１の部分に挿入するステップと
を含む、方法。
（項目１９）
前記試料が前記針から除去された後に、前記スタイレットを前記管腔に再挿入するステップと、
前記針の遠位端が試料抽出される標的組織の第２の部分に隣接する、第２の標的位置まで、介在組織を通して前記針を前進させるステップと、
前記針が前記第２の標的位置まで前進させられた後に、前記端部キャップを前記針の前記近位端から除去するステップと、
前記スタイレットを前記針から引き出すステップと、
前記スタイレットの前記遠位部を前記クリップ機構に連結するステップと、
標的組織の試料を取得するように、前記針を標的組織の前記第２の部分に挿入するステップと
をさらに含む、項目１８に記載の方法。